(57)【要約】【課題】筐体の大きさを増大させることなく低音域を再生可能なスピーカシステムを提供する。【解決手段】スピーカシステム１００は、筐体１１０と、スピーカユニット１３０と、筐体１１０の開口部に取り付けられた仕切板１２０とを備える。スピーカユニット１３０のうちの筐体１１０の内部に突出している部分の先端部と、仕切板１２０の先端部とは、スピーカユニット１３０の突出量に応じて離れている。【選択図】図１
2008182451.tif 000002
【特許請求の範囲】
【請求項１】
テーパ付の４分の１波長管を有するスピーカシステムであって、
開口部および密閉部を有する音響管と、
前記密閉部に取り付けられて、音を出力するスピーカユニットと、
前記音響管の空間を分ける仕切部材とを備え、
前記仕切部材の一方端は、前記開口部に結合されており、
前記仕切部材の他方端と前記スピーカユニットとは、前記スピーカユニットが前記音響管の内部に突出する部分の長さだけ離れている、スピーカシステム。
【請求項２】
テーパ付の４分の１波長管を有するスピーカシステムであって、
開口部および密閉部を有する音響管と、
前記密閉部に取り付けられて、音を出力するスピーカユニットと、
前記音響管の空間を分ける仕切部材とを備え、
前記仕切部材の一方端は、前記開口部に結合されており、
前記仕切部材の他方端と前記スピーカユニットとは、前記音響管の内部に対する前記スピーカユニットの突出量に応じて離れている、スピーカシステム。
【請求項３】
前記仕切部材の他方端と前記スピーカユニットとは、前記スピーカユニットが前記音響管の内部に突出する部分の長さだけ離れている、請求項２に記載のスピーカシステム。
【請求項４】
前記仕切部材の他方端と前記スピーカユニットとの間隔は、前記スピーカユニットが前記音響管の内部に突出する部分の容積に応じて規定される、請求項２に記載のスピーカシステム。
【請求項５】
前記仕切部材の他方端と前記スピーカユニットとの間隔は、前記スピーカユニットが前記音響管の内部に突出する部分の断面積に応じて規定される、請求項２に記載のスピーカシステム。
【発明の詳細な説明】
【技術分野】
【０００１】
本発明はスピーカシステムに関し、特に、テーパ付４分の１波長管型のスピーカシステムに関する。
【背景技術】
【０００２】
音響管形のエンクロージャーを有するスピーカシステムの１つに、４分の１波長管（ＱＷＴ：Quarter  Wave  Tube）タイプの構造を有するスピーカシステムが知られている。音響管を直線的な形状のまま構成した場合、このタイプのスピーカシステムの全長が長くなり、筐体の高さが高くなるという問題がある。そこで、音響管をその中央部で折り返した構造を適用し、全体の長さを短くする構造が考案されている。
【０００３】
また、ＱＷＴ構造の変形例として、管の断面積を先端から開口部に向けて徐々に変化させたテーパ付４分の１波長管（ＴＱＷＴ：Tapered  Quarter  Wave  Tube）タイプの構造を有するスピーカシステムも知られている。
【０００４】
たとえば、特開２００５−３５４５０８号公報（特許文献１）は、低音域の量感が増し、好ましい音質特性が得られる低音スピーカ装置を開示している。
【０００５】
また、特開２００５−２７７８２６号公報（特許文献２）は、筐体の合成が向上しつつスピーカの低音の出力特性を向上させる技術を開示している。
【０００６】
さらに、特開２００５−３９８６９号公報（特許文献３）は、低音再生に優れたスピーカ装置を開示している。
【特許文献１】特開２００５−３５４５０８号公報
【特許文献２】特開２００５−２７７８２６号公報
【特許文献３】特開２００５−３９８６９号公報
【発明の開示】
【発明が解決しようとする課題】
【０００７】
しかしながら、特開２００５−３９８６９号公報に開示された技術、あるいは、ＴＱＷＴのような技術によると、音響管を構成する筐体にスピーカユニットを取り付けると、スピーカユニットの突出量によっては、スピーカユニットが音響管の内部を封鎖するような構成になる。そのため、管の断面積が不連続に変化することになり、音響管を用いた共鳴の効果が十分に発現されないという問題もある。
【０００８】
本発明は、上述の問題点を解決するためになされたものであって、その目的は、筐体の大きさの増大を防止しつつ低音域を再生できるスピーカシステムを提供することである。
【課題を解決するための手段】
【０００９】
上記の課題を解決するために、この発明のある局面に従うと、テーパー付の４分の１波長管を有するスピーカシステムが提供される。このスピーカシステムは、開口部および密閉部を有する音響管と、密閉部に取り付けられて、音を出力するスピーカユニットと、音響管の空間を分ける仕切部材とを備える。仕切部材の一方端は、開口部に結合されている。仕切部材の他方端とスピーカユニットとは、スピーカユニットが音響管の内部に突出する部分の長さだけ離れている。
【００１０】
この発明の他の局面に従うと、テーパー付の４分の１波長管を有するスピーカシステムは、開口部および密閉部を有する音響管と、密閉部に取り付けられて、音を出力するスピーカユニットと、音響管の空間を分ける仕切部材とを備える。仕切部材の一方端は、開口部に結合されている。仕切部材の他方端とスピーカユニットとは、音響管の内部に対するスピーカユニットの突出量に応じて離れている。
【００１１】
好ましくは、仕切部材の他方端とスピーカユニットとは、スピーカユニットが音響管の内部に突出する部分の長さだけ離れている。
【００１２】
好ましくは、仕切部材の他方端とスピーカユニットとの間隔は、スピーカユニットが音響管の内部に突出する部分の容積に応じて規定される。
【００１３】
好ましくは、仕切部材の他方端とスピーカユニットとの間隔は、スピーカユニットが音響管の内部に突出する部分の断面積に応じて規定される。
【発明の効果】
【００１４】
本発明に係るスピーカシステムによると、筐体の大きさの増大を防止しつつ低音域を再生できるスピーカシステムを提供することができる。
【発明を実施するための最良の形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
図１を参照して、本実施の形態に係るスピーカシステム１００の構成について説明する。図１は、スピーカシステム１００の断面を表わす図である。スピーカシステム１００は、筐体１１０と、スピーカユニット１３０と、仕切板１２０とを備える。
【００１７】
筐体１１０は、音響管として機能する。たとえば、筐体１１０は、密閉部１５０と開口部１６０とを有する方形の筐体として、あるいは円柱状の筐体として実現される。筐体１１０は、たとえば木製であるが、筐体１１０の材料は木材に限られず、樹脂その他の材料が使用されてもよい。
【００１８】
スピーカユニット１３０は、たとえば低音出力用のスピーカ（いわゆるウーファー）であるが、その他のタイプのスピーカユニットが使用されてもよい。スピーカユニット１３０は、筐体１１０の密閉部の中央部分に取り付けられている。取り付けの態様は特に限定されない。たとえば、スピーカユニット１３０は、そのフランジ部分（図示しない）においてボルトその他の結合手段によって取り付けられるが、接着剤が使用されてもよい。
【００１９】
仕切板１２０は、筐体１１０の開口部に取り付けられている。筐体１１０が方形である場合、仕切板１２０は、筐体１１０の一側面の内部の幅と同じ長さの幅を有する板として実現される。仕切板１２０は、たとえば木製であるが、樹脂その他の材料が使用されてもよい。仕切板１２０は開口部１６０において、ボルトその他の結合手段によって、あるいは接着剤によって固定されている。他の局面において、筐体１１０と仕切板１２０とは、樹脂によって一体成型されるものであってもよい。
【００２０】
スピーカユニット１３０のうち、筐体１１０の内部に突出している部分の先端部と、仕切板１２０の先端部とは、スピーカユニット１３０の突出量に応じて離れている。たとえば、図１に示される例では、距離１４０は、スピーカユニット１３０の突出している部分の長さに対応する。
【００２１】
他の局面においては、距離１４０は、スピーカユニット１３０の突出している部分の堆積に応じて規定される。すなわち、スピーカユニット１３０の取り付けによって、筐体１１０の空間が失われる。この失われた空間は、音響管として機能するために使用されるものである。そこで、この失われた空間を確保するために、仕切板１２０の先端部は、スピーカユニット１３０から離れるように構成される。
【００２２】
たとえば、スピーカユニット１３０の設計図面などにより突出部分の体積が明らかにされる。この体積は、音響管として機能する筐体１１０から失われた空間に対応する。そこで、仕切板１２０の厚みと、仕切板１２０の幅と、距離１４０との積が、当該失われた空間に相当するものと近似する。この場合、距離１４０は、算式「距離１４０＝当該失われた空間／（仕切板１２０の厚み×仕切板１２０の幅）」によって求められる。
【００２３】
仕切板１２０とスピーカユニット１３０とは、このようにして算出された距離１４０だけ離れて構成される。この構成によると、スピーカユニット１３０が音を出力する際に、音は筐体１１０の各部で反響する。このとき、筐体１１０の内部空間は、筐体１１０と仕切板１２０とによって密閉状に構成される結合部からスピーカユニット１３０に向けて徐々に変化する。たとえば、筐体１１０の内部空間を面積の変化として表わすと、一定の変化率に基づいて、当該内部空間は変換する。距離１４０における面積の変化は、上記のようにして算出されており、その変化率から大きく逸脱しない程度に規定されている。その結果、スピーカユニット１３０の背面から筐体に出力される音は、一定の割合で変化する空間において反響することになる。これにより、テーパー付４分の１波長型のスピーカシステムの全体の長さを抑制し、かつ、音質の低下を防止することができる。
【００２４】
次に、図２を参照して、本実施の形態に係るスピーカシステム１００の筐体１１０の内部構造について説明する。図２は、スピーカシステム１００からスピーカユニット１３０を取り外した部分を方向Ａから表わした図である。
【００２５】
筐体１１０の内部において、仕切板１２０は、筐体１１０の開口部から密閉部に向けて斜めに取り付けられている。筐体１１０の内部および仕切板１２０の表面は、吸音材が付されていてもよい。筐体１１０の材質と仕切板１２０の材質とは、同一の材質でもよく、異なるものであってもよい。また、筐体１１０と仕切板１２０とは、樹脂によって射出成型などにより一体のものとして形成されてもよい。
【００２６】
ここで、図３を参照して、他の局面に従うスピーカシステム３００について説明する。図３は、スピーカシステム３００の断面を表わす図である。スピーカシステム３００は、スピーカユニット１３０と、筐体３１０と仕切板３２０とを備える。ここで、仕切板３２０と筐体３１０との間隔ａ，ｂ，ｃは、ほぼ同じ長さである。
【００２７】
スピーカユニット１３０の背面から発せられる音は、筐体３１０の内部で反響し、開口部３６０から出力される。その結果、スピーカシステム３００から発せられる音は、スピーカユニット１３０の前面から発せられる音と、開口部３６０から発せられる音とを含む。この場合、筐体３１０の内部における空間は、スピーカユニット１３０の突出部分によって急激に変化する部分を含む。すなわち、代表的に距離３４０によって示される部分は、その前後に比べてスピーカユニット１３０の背面からの距離が短くなっている。そのため、スピーカユニット１３０の背面から発せられた音は、距離３４０の近傍においては、十分に反響することができなくなる。そのため、開口部３６０から発せられる音は、不十分に反響した音を含むことになる。
【００２８】
これに対して、本実施の形態に係るスピーカシステム１００によると、図１に示されるように、スピーカユニット１３０の裏面における音の反響のための空間を十分に確保することができる。したがって、筐体１１０の全長を抑制しつつ音響管による共鳴効果を得ることができる。
【００２９】
ここで、図４を参照して、本発明の実施の形態に係るスピーカシステム１００の構造上の特徴と他のスピーカシステム３００の構造上の特徴との相違についてさらに説明する。図４（Ａ）は、スピーカシステム３００の密閉部３５０から開口部３６０までの距離（Ｌ）に対応する空間部分の距離（ｄ）の変化を表わす図である。図４（Ｂ）は、スピーカシステム１００の密閉部１５０から開口部１６０までの距離（Ｌ）に対応する空間部分の距離（ｄ）の変化を表わす図である。
【００３０】
図３から明らかなように、スピーカユニット１３０の取り付け位置（Ｌ（３４０））において、スピーカユニット１３０の背面の突出に対応する距離だけ、仕切板１２０とスピーカユニット１３０との間隔が狭くなっている。そのため、距離は、図４（Ａ）に示されるように、距離Ｌ（３４０）の近傍で変化する。
【００３１】
これに対して、図１に示されるように、スピーカシステム１００においては、スピーカユニット１３０の突出に対応する距離だけ、仕切板１２０の先端部とスピーカユニット１３０とは離れている。その結果、スピーカユニット１３０に対応する位置（Ｌ（１４０））の近傍においても、距離ｄの変化が防止されることになる。これにより、当該距離の急激な変化によって共鳴効果が阻害されることを防止できる。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明は、テーパ付４分の１波長管を有するスピーカシステムに適用可能である。
【図面の簡単な説明】
【００３４】
【図１】本発明の実施の形態に係るスピーカシステム１００の断面を表わす図である。
【図２】本発明の実施の形態に係るスピーカシステム１００からスピーカユニット１３０を取り外した部分を方向Ａから表わした図である。
【図３】他の局面に従うスピーカシステム３００の断面を表わす図である。
【図４】スピーカシステムの密閉部から開口部までの距離（Ｌ）に対応する空間部分の距離（ｄ）の変化を表わす図である。
【符号の説明】
【００３５】
１００  スピーカシステム、１１０，３１０  筐体、１２０，３２０  仕切板、１３０  スピーカユニット、１４０，３４０  距離、１５０，３５０  密閉部、１６０，３６０  開口部、２１０  幅。
【図１】
2008182451.tif 000003
【図２】
2008182451.tif 000004
【図３】
2008182451.tif 000005
【図４】
2008182451.tif 000006